(57)【要約】
【課題】  シャフトの尖端部の構造と強度が優れているゴルフクラブのシャフトを提供する。
【解決手段】  浸漬繊維材料から作られるシャフト本体を有し、シャフト本体の一部分は非晶質の金属材料膜層３０を有する。非晶質の金属材料膜層３０は多数の穿孔３１を有する。また、非晶質の金属材料膜層３０はシャフト本体の中に挟むように設置され、シャフト本体の内側に被覆され、シャフト本体の外側を被覆する。シャフト本体は外側に保護層４０を有する。保護層４０はガラス繊維材料から作られる。シャフト本体はカーボン繊維、ホウ素繊維、ガラス繊維または積層織布から作られる。繊維材料によるシャフトの中に金属材料膜層を加えることにより、シャフトに繊維材料と金属の特性を同時にもたし、強度の不足という欠点を補い、本来の繊維材料の特性を失うこともない。
【選択図】    図２
0003101219.tif 000002
【実用新案登録請求の範囲】
【請求項１】
浸漬繊維材料から作られるシャフト本体を有するゴルフクラブのシャフトであって、
シャフト本体の一部分は非晶質の金属材料膜層を有することを特徴とするゴルフクラブのシャフト。
【請求項２】
非晶質の金属材料膜層は、厚さが１０μｍから８０μｍの間であることを特徴とする請求項１に記載のゴルフクラブのシャフト。
【請求項３】
非晶質の金属材料膜層は、多数の穿孔を有することを特徴とする請求項１に記載のゴルフクラブのシャフト。
【請求項４】
非晶質の金属材料膜層は、シャフト本体の中に挟むように設置されることを特徴とする請求項１に記載のゴルフクラブのシャフト。
【請求項５】
非晶質の金属材料膜層は、シャフト本体の内側に被覆されることを特徴とする請求項１に記載のゴルフクラブのシャフト。
【請求項６】
非晶質の金属材料膜層は、シャフト本体の外側を被覆することを特徴とする請求項１に記載のゴルフクラブのシャフト。
【請求項７】
シャフト本体は、外側に保護層を有することを特徴とする請求項１に記載のゴルフクラブのシャフト。
【請求項８】
保護層は、ガラス繊維材料から作られることを特徴とする請求項７に記載のゴルフクラブのシャフト。
【請求項９】
シャフト本体は、カーボン繊維、ホウ素繊維、ガラス繊維または積層織布から作られることを特徴とする請求項１に記載のゴルフクラブのシャフト。
【考案の詳細な説明】
【技術分野】
【０００１】
本考案は、ゴルフクラブの器材に関し、特に、ゴルフクラブのシャフトに関するものである。
【背景技術】
【０００２】
従来のゴルフクラブのシャフトは、だいたい金属材料から作られるシャフトまたは繊維材料から作られるシャフトに分けられている。金属シャフトの特性は、剛性が比較的優れ、構造が比較的丈夫なことであるが、重量は重すぎ、撓み性も劣るため、市販の製品の多くは繊維材料から作られるシャフトである。繊維シャフトはカーボン繊維、ホウ素繊維、ガラス繊維または積層織布等の複合繊維材料で巻いて作られるものが多い。その特徴は、重量が軽く、撓み性が優れることであるが、シャフト胴部の構造上の強度は比較的劣り、特に、高速度で打撃する場合、シャフトはヘッド部とシャフト胴部の撓みポイントとの間、即ち、シャフトの尖端部（Tip）の破裂が生じやすい。それは常にシャフトを製造する時に克服しなければならない問題である。
【考案の開示】
【考案が解決しようとする課題】
【０００３】
本考案の主な目的は、シャフトの尖端部の構造と強度が優れているゴルフクラブのシャフトを提供することにある。
【課題を解決するための手段】
【０００４】
上述の目的を達成するために、本考案のゴルフクラブのシャフトは、浸漬繊維材料から作られ、その一端が広い部分（Butter）であり、他端が尖端部（Tip）であるシャフト本体を備える。その特徴は、シャフト本体の尖端部が非晶質の金属材料膜層により被覆されることである。
【考案を実施するための最良の形態】
【０００５】
各図面に示すように、本考案の一実施例によるゴルフクラブのシャフトは、シャフト本体２０を備え、シャフト本体２０は浸漬済みの樹脂の繊維材料２１を積層してから巻き取る方式により作られ、浸漬繊維材料２１はカーボン繊維、ホウ素繊維、ガラス繊維または積層織布などでも可能であり、その両端は一つが広い部分（butter）２２であり、もう一つが尖端部（Tip）２３である。
【０００６】
その特徴は、シャフト本体２０の尖端部２３は非晶質の金属材料膜層３０により被覆され、非晶質の金属材料膜層３０は平面流動鋳造の方式により製造され、その厚さが１０μｍから８０μｍの間の柔軟な金属膜層であり、本実施例において、非晶質の金属材料膜層３０は厚さが１５μｍから２５μｍの間であり、且つ多数の穿孔３１を有し、穿孔３１の大きさは実際の実施により選択可能であり、本実施例において、肉眼により識別できるくらいの大きさでなる。シャフト本体２０の浸漬繊維材料２１上における樹脂は穿孔３１中に浸透し、接着結合することにより、非晶質の金属材料膜層３０とシャフト本体２０とは結合の具合が優れているようになる。
【０００７】
図２に示すように、非晶質の金属材料膜層３０は外側が透明保護層４０により被覆され、保護層４０はガラス繊維により作られ、シャフト本体２０と非晶質の金属材料膜層３０とを保護する。
【０００８】
非晶質の金属材質膜層はシャフト本体の尖端部の内側面に設置可能であり、または、非晶質の金属材料膜側を浸漬繊維材料の中にあらかじめ挟み、浸漬繊維材料とともにシャフト本体の尖端部に巻き取るとしても、同じようにシャフト本体の尖端部の構造を強める効果がある。かつ非晶質の金属膜層は、厚さが薄く、柔軟性が高いため、巻き取りを進行させた後、金属が湾曲したり、復帰伸張したりすることはない。
【０００９】
したがって、繊維材料によるシャフトの中に金属材料膜層を加えることにより、シャフトに繊維材料と金属の特性を同時にもたし、従来の強度の不足という欠点を補い、また、本来の繊維材料の特性を失うこともない。かつ本実施例により特に繊維シャフトの先端部の構造を強めるのは、繊維シャフトは、高速度で打撃し、弧度の大きい撓みが発生する時に、破断し易くなくなるだけでなく、シャフトのねじり力及び剛性を上回らせるため、従来の繊維材料によるシャフトの問題を確実に解決可能である。
【図面の簡単な説明】
【００１０】
【図１】本考案の一実施例によるゴルフクラブのシャフトを示す斜視図である。
【図２】図１を２−２線で切断した断面図である。
【符号の説明】
【００１１】
２０  シャフト本体、２１  浸漬繊維材料、２２  広い部分、２３  尖端部、３０  非晶質の金属材料膜層、３１  穿孔、４０  保護層
【図１】
0003101219.tif 000003
【図２】
0003101219.tif 000004
【手続補正書】
【提出日】平成15年12月25日(2003.12.25)
【手続補正１】
【補正対象書類名】実用新案登録請求の範囲
【補正対象項目名】全文
【補正方法】変更
【補正の内容】
【実用新案登録請求の範囲】
【請求項１】
多層浸漬繊維材料から作られるシャフト本体を有するゴルフクラブのシャフトであって、
前記シャフト本体を被覆する又は前記シャフト本体の中に挟まれる非晶質の金属材料膜層を有することを特徴とするゴルフクラブのシャフト。
【請求項２】
非晶質の金属材料膜層は、厚さが１０μｍから８０μｍの間であることを特徴とする請求項１に記載のゴルフクラブのシャフト。
【請求項３】
非晶質の金属材料膜層は、多数の穿孔を有することを特徴とする請求項１に記載のゴルフクラブのシャフト。
【請求項４】
非晶質の金属材料膜層は、シャフト本体の中に挟むように設置されることを特徴とする請求項１に記載のゴルフクラブのシャフト。
【請求項５】
非晶質の金属材料膜層は、シャフト本体の内側を被覆することを特徴とする請求項１に記載のゴルフクラブのシャフト。
【請求項６】
非晶質の金属材料膜層は、シャフト本体の外側を被覆することを特徴とする請求項１に記載のゴルフクラブのシャフト。
【請求項７】
シャフト本体は、外側に保護層を有することを特徴とする請求項１に記載のゴルフクラブのシャフト。
【請求項８】
保護層は、ガラス繊維材料から作られることを特徴とする請求項７に記載のゴルフクラブのシャフト。